(57)【要約】【課題】  定期券として用いられる携帯記録媒体から取得した情報を用いて、降車するバス停を予約すること。【解決手段】  クライアント端末が、顧客が携帯する携帯記録媒体から、定期券のバス停の区間を示す区間情報を取得してサーバに送信し、当該サーバが、当該区間情報に基づき特定される停車するバス停を示す停車バス停情報を登録し、当該登録された停車予定のバス停と、停車する予定のない他のバス停とを識別可能に表示する表示画面をクライアント端末に送信して、当該クライアント端末が、当該表示画面を表示することを特徴とする。【選択図】図１１
2016103232.tif 000002
【特許請求の範囲】
【請求項１】
車両に設けられたクライアント端末と、サーバとを含むシステムであって、
前記クライアント端末は、
顧客が携帯する携帯記録媒体から、定期券のバス停の区間を示す区間情報を取得する取得手段と、
前記取得手段により取得された区間情報を前記サーバに送信する送信手段と、
停車するバス停と、停車する予定のない他のバス停とを識別可能に表示する表示画面を前記サーバから受信して表示部に表示する表示手段と、
を備え、
前記サーバは、
前記送信手段により送信された区間情報に基づき特定される停車するバス停を示す停車バス停情報を登録する登録手段と、
前記登録手段により登録された停車バス停情報により示されるバス停と、停車する予定のない他のバス停とを識別可能に表示する表示画面を前記クライアント端末に送信する表示画面送信手段と、
を備えることを特徴とするシステム。
【請求項２】
前記クライアント端末は、
前記取得手段は、さらに、顧客が携帯する携帯記録媒体から、当該携帯記録媒体を識別するための識別情報を取得し、
前記送信手段は、前記取得手段により取得された区間情報と識別情報とを前記サーバに送信し、
停車バス停情報の変更指示を受け付ける変更指示受付画面を、前記サーバから受信して表示する変更指示受付画面表示手段と、
前記変更指示受付画面表示手段により表示された変更指示受付画面を介して、停車バス停情報の変更指示を受け付け、変更指示を受け付けた停車バス停情報を前記サーバに送信する変更指示送信手段と、
を更に備え、
前記サーバは、
前記登録手段は、前記送信手段により送信された区間情報に基づき特定される停車するバス停を示す停車バス停情報と当該識別情報と対応付けて登録する登録手段と、
前記送信手段により、前記登録手段により登録されている識別情報と同一の識別情報を受信した場合には、前記クライアント端末に対して、前記登録手段により登録されている停車バス停情報の変更指示を受け付ける変更指示受付画面を送信する変更指示受付画面送信手段と、
前記登録手段により当該識別情報と対応付けて登録された停車バス停情報を、前記変更指示送信手段により送信された停車バス停情報に更新する更新手段と、
を更に備えることを特徴とする請求項１に記載のシステム。
【請求項３】
車両に設けられたクライアント端末と、サーバとを含むシステムにおける制御方法であって、
前記クライアント端末の取得手段が、顧客が携帯する携帯記録媒体から、定期券のバス停の区間を示す区間情報を取得する取得工程と、
前記クライアント端末の送信手段が、前記取得工程により取得された区間情報を前記サーバに送信する送信工程と、
前記クライアント端末の表示手段が、停車するバス停と、停車する予定のない他のバス停とを識別可能に表示する表示画面を前記サーバから受信して表示部に表示する表示工程と、
を備え、
前記サーバの登録手段が、前記送信工程により送信された区間情報に基づき特定される停車するバス停を示す停車バス停情報を登録する登録工程と、
前記サーバの表示画面送信手段が、前記登録工程により登録された停車バス停情報により示されるバス停と、停車する予定のない他のバス停とを識別可能に表示する表示画面を前記クライアント端末に送信する表示画面送信工程と、
を備えることを特徴とする制御方法。
【請求項４】
車両に設けられたクライアント端末と、サーバとを含むシステムで読み取り実行可能なプログラムであって、
前記クライアント端末を、
顧客が携帯する携帯記録媒体から、定期券のバス停の区間を示す区間情報を取得する取得手段と、
前記取得手段により取得された区間情報を前記サーバに送信する送信手段と、
停車するバス停と、停車する予定のない他のバス停とを識別可能に表示する表示画面を前記サーバから受信して表示部に表示する表示手段として機能させ、
前記サーバを、
前記送信手段により送信された区間情報に基づき特定される停車するバス停を示す停車バス停情報を登録する登録手段と、
前記登録手段により登録された停車バス停情報により示されるバス停と、停車する予定のない他のバス停とを識別可能に表示する表示画面を前記クライアント端末に送信する表示画面送信手段として機能させることを特徴とするプログラム。
【発明の詳細な説明】
【技術分野】
【０００１】
本発明は、システム、及びその制御方法、プログラムに関し、特に、定期券として用いられる携帯記録媒体から取得した情報を用いて、降車するバス停を予約するための技術に関するものである。
【背景技術】
【０００２】
従来、公共のバスを利用する場合、降車予定のバス停を運転手に知らせる事が可能なタイミングは、自身が降車する予定の一つ手前のバス停を通過した後からでなければ、降車ボタンを押すことができない。
【０００３】
そのため、観光客の場合、見知らぬ場所で、自分が降車したいバス停までどのくらいの時間で到着するのかも分からないにも関わらず、ましてや、その一つ手前のバス停を通過したかどうかを、確認する必要があるのは、大変に不便である。
【０００４】
また、観光客に関わらず、現状の一般のバス乗客にとっても、降車ボタンを押すタイミングが制限されていることは不便であると思われる。例えば、バスが今どの辺りを走行しているかを把握していない場合、降車ボタンを押すことができず、降車予定のバス停をバスが通り過ぎてしまうこともある。
【０００５】
そこで、特許文献１には、バスに乗車する顧客が携帯している携帯端末から、当該顧客が降車するバス停の予約を行うシステムが記載されている。
【先行技術文献】
【特許文献】
【０００６】
【特許文献１】特開２００７−１７２６６６号公報
【発明の概要】
【発明が解決しようとする課題】
【０００７】
しかしながら、特許文献１では、乗車するバス停から降車するバス停が記録されているＩＣカードなどを定期券として用いるバスの場合、ＩＣカードに降車するバス停が記録されていても、必ず、携帯端末をユーザが操作指示して、降車するバス停を予約しなければならず、煩雑な操作を強いられていた。
【０００８】
また、その定期券としてのＩＣカードを用いて、降車するバス停を乗車時に自動的に登録してしまうと、後で、登録された降車するバス停を変更することが出来なかった。
【０００９】
そこで、本発明の目的は、定期券として用いられる携帯記録媒体から取得した情報を用いて、降車するバス停を予約する仕組みを提供することである。
【課題を解決するための手段】
【００１０】
本発明は、車両に設けられたクライアント端末と、サーバとを含むシステムであって、前記クライアント端末は、顧客が携帯する携帯記録媒体から、定期券のバス停の区間を示す区間情報を取得する取得手段と、前記取得手段により取得された区間情報を前記サーバに送信する送信手段と、停車するバス停と、停車する予定のない他のバス停とを識別可能に表示する表示画面を前記サーバから受信して表示部に表示する表示手段と、を備え、前記サーバは、前記送信手段により送信された区間情報に基づき特定される停車するバス停を示す停車バス停情報を登録する登録手段と、前記登録手段により登録された停車バス停情報により示されるバス停と、停車する予定のない他のバス停とを識別可能に表示する表示画面を前記クライアント端末に送信する表示画面送信手段と、を備えることを特徴とする。
【００１１】
また、本発明は、車両に設けられたクライアント端末と、サーバとを含むシステムにおける制御方法であって、前記クライアント端末の取得手段が、顧客が携帯する携帯記録媒体から、定期券のバス停の区間を示す区間情報を取得する取得工程と、前記クライアント端末の送信手段が、前記取得工程により取得された区間情報を前記サーバに送信する送信工程と、前記クライアント端末の表示手段が、停車するバス停と、停車する予定のない他のバス停とを識別可能に表示する表示画面を前記サーバから受信して表示部に表示する表示工程と、を備え、前記サーバの登録手段が、前記送信工程により送信された区間情報に基づき特定される停車するバス停を示す停車バス停情報を登録する登録工程と、前記サーバの表示画面送信手段が、前記登録工程により登録された停車バス停情報により示されるバス停と、停車する予定のない他のバス停とを識別可能に表示する表示画面を前記クライアント端末に送信する表示画面送信工程と、を備えることを特徴とする。
【００１２】
また、本発明は、車両に設けられたクライアント端末と、サーバとを含むシステムで読み取り実行可能なプログラムであって、前記クライアント端末を、顧客が携帯する携帯記録媒体から、定期券のバス停の区間を示す区間情報を取得する取得手段と、前記取得手段により取得された区間情報を前記サーバに送信する送信手段と、停車するバス停と、停車する予定のない他のバス停とを識別可能に表示する表示画面を前記サーバから受信して表示部に表示する表示手段として機能させ、前記サーバを、前記送信手段により送信された区間情報に基づき特定される停車するバス停を示す停車バス停情報を登録する登録手段と、前記登録手段により登録された停車バス停情報により示されるバス停と、停車する予定のない他のバス停とを識別可能に表示する表示画面を前記クライアント端末に送信する表示画面送信手段として機能させることを特徴とする
【発明の効果】
【００１３】
本発明によれば、定期券として用いられる携帯記録媒体から取得した情報を用いて、降車するバス停を予約することができる。
【図面の簡単な説明】
【００１４】
【図１】本発明のシステムの構成の一例を示すシステム構成図である。
【図２】本発明のバス車内に搭載するクライアント端末を示すシステム構成図である。
【図３】本発明におけるバス運転手向けの車内で表示するバス停一覧等を決定する管理画面の構成図である。
【図４】本発明における乗客向けの車内端末画面の構成図である。
【図５】本発明におけるバス運転手向けの通過済みバス停を管理する画面の構成図である。
【図６】本発明におけるバスの路線名一覧を表すテーブルの一例を示すデータ構成図である。
【図７】本発明におけるバス停名一覧を表すテーブルの一例を示すデータ構成図である。
【図８】本発明におけるバスの路線と発車時刻の一覧を表すテーブルの一例を示すデータ構成図である。
【図９】本発明における通過済みバス停名を表すテーブルの一例を示すデータ構成図である。
【図１０】本発明における乗客毎の降車予定のバス停一覧を表すテーブルの一例を示すデータ構成図である。
【図１１】本発明における乗客がバスに乗り込んでから降車するまでの間の、降車予定のバス停を登録する一例を示すフローチャートである。
【発明を実施するための形態】
【００１５】
以下、図面を参照して、本発明の実施形態を詳細に説明する。
【００１６】
図１、２は、本発明のシステムの構成の一例を示すシステム構成図である。
【００１７】
図１、２に示す本発明におけるシステムは、サーバ装置１０１と、バス車内に設置された運転手の運転手用管理端末２０１と顧客のクライアント端末３０１〜３ｘｘが通信可能に接続されている。
【００１８】
各クライアント端末は、それぞれ、例えば、バスの座席ごとに設けられた端末である。
【００１９】
クライアント端末が、ユーザから降車予定のバス停の情報（降車予定バス停データ）の入力を受け付けると、降車予定バス停データをサーバ装置１０１に送信する。サーバ装置１０１は受け付けたデータを登録し、各クライアント端末にその情報を反映する。
【００２０】
図３は、運転手がバス出発前に、自身が運行するバスの路線名、出発時刻を設定するための画面であって、車内の運転手向け管理用端末に表示される画面である。
【００２１】
運転手が端末画面の路線名選択部分のプルダウンを選択することで路線名を決定し、その後、出発時刻選択部分のプルダウンから出発時刻を選択する。
【００２２】
運転手が路線名と出発時刻が選択された状態で確定ボタンをクリックすると、当該選択された路線、出発時刻から特定される当該バスのルートが特定され、車内の乗客向け端末（各クライアント端末）の画面に、そのルーとで降車可能なバス停をルートと共に表示される。このとき、どのバス停も降車予定が選択されていない状態で、バス停一覧が表示される。
【００２３】
図４は、乗客が降車予定のバス停を、複数あるバス停から一つを選択し登録するための、乗客向け車内端末（各クライアント端末）に表示される画面である。乗客が停車可能なバス停を選択して停車の予約指示を行った場合、そのバス停の表示色が無色からピンク色変更され、どのバス停が降車予定になっているかが一目で分かるようになる。
【００２４】
図５は、運転手によって、通過したバス停を登録するための、運転手向け管理用端末（運転手管理端末）に表示される画面である。
【００２５】
バス停を通過した後に、そのバス停を選択・登録することで、図４や図５に表示されているバス停一覧の中の該当するバス停の表示色をグレー色に変更するためのものである。
【００２６】
図６は、サーバ装置１０１に登録されたデータテーブルであり、バス路線の名前とそのバス路線ＩＤが登録される。
【００２７】
図６のデータテーブルは、初期データとしてセットされ、路線名が変更されるとメンテナンスされる。
【００２８】
図７は、サーバ装置１０１に登録されたデータテーブルであり、バス路線ＩＤとその路線に紐づくバス停の名前、バス路線ＩＤが登録される。図７のデータテーブルは、初期データとしてセットされ、路線名やバス停が変更されるとメンテナンスされる。
【００２９】
図８は、サーバ装置１０１に登録されたデータテーブルであり、各バス路線の平日・休日毎の車庫からの発車時刻が登録される。
【００３０】
図８のデータテーブルは、初期データとしてセットされ、路線名や発車時刻ダイヤが変更されるとメンテナンスされる。
【００３１】
図９は、サーバ装置１０１に登録されたデータテーブルであり、テーブル名は該当するバス路線ＩＤと発車時刻ＩＤを含むものとする。また、データテーブルのデータは毎日初期化される。
【００３２】
図９のデータテーブルは、バス停を通過する度に、運転手によって、ステップＳ０１７にて、図５の運転手向け管理画面を通じて更新される。
【００３３】
図１０は、サーバ装置１０１に登録されたデータテーブルであり、テーブル名は該当するバス路線ＩＤと発車時刻ＩＤを含むものとする。また、データテーブルのデータは毎日初期化される。
【００３４】
図１０のデータテーブルは、降車予定のバス停を登録するステップＳ０１０や、登録したバス停を変更する際のステップＳ００６や、定期券をかざした際のステップＳ０１２にて、乗客により乗客のカードＩＤに紐付いたバス停ＩＤが新規登録もしくは更新される。
【００３５】
図１１に示すフローチャートは、サーバ装置１０１のＣＰＵがプログラムを読み込むことで実行される処理を説明するための図である。また、図１１は、サーバ装置１０１で実行するのではなく、サーバ装置１０１のすべての構成を運転手用管理端末が有し、運転手用管理端末が実行することもできる。
【００３６】
図１１に示すS００３からS０１７は、顧客が乗車したらいつでも車両（バス）内のクライアント端末を用いて操作することで実現される。
【００３７】
Ｓ００１では、サーバ装置１０１によって、図９，図１０のデータテーブルが新規作成、もしくは、すでに存在する場合、テーブルのデータ削除が行われる。
【００３８】
Ｓ００２で、サーバ装置１０１にて、図２に示した運転手用管理端末２０１の図３の運転手向け管理画面からの入力を受付け、Ｓ００３にて、サーバ装置１０１から図２の乗客向け車内端末（各クライアント端末）の表示部に、図４のそのバスが通過するバス停の一覧を表示する。
【００３９】
Ｓ００４では、各クライアント端末は、図２の乗客向け車内端末（各クライアント端末）が有するカードリーダに対して乗客によりかざされたＩＣカードから、カードＩＤ、定期券情報の有無、定期券区間の情報を読み取り、当該読み取った情報をサーバ装置１０１に送信する。
【００４０】
すなわち、クライアント端末は、顧客が携帯する携帯記録媒体（ＩＣカードなど）から、定期券のバス停の区間を示す区間情報、及び携帯記録媒体を識別するための識別情報を取得する（取得手段）。そして、クライアント端末は、当該取得された区間情報と識別情報をサーバ装置１０１に送信する（送信手段）。
【００４１】
Ｓ００５では、サーバ装置１０１は、クライアント装置から受信したＩＣカードのカードＩＤ（識別情報）に紐づくデータ（降車予定のバス停ＩＤ）が、サーバ装置１０１の図１０のバス便毎降車予定テーブルにすでに登録されているか否かを判定する。登録されている場合には、Ｓ００６に移行して、登録されていない場合には、Ｓ０１１に移行する。
【００４２】
Ｓ００６では、サーバ装置１０１は、バス便毎降車予定テーブル（図１０）に存在する、該当カードＩＤのデータ行を削除する。
【００４３】
Ｓ００７では、該当カードＩＤに紐付いていた削除された降車予定のバス停ＩＤについて、バス便毎降車予定テーブル（図１０）上のそのバス停ＩＤの現在の件数をカウントし、１件以上存在すれば、他の乗客がそのバス停にて降車予定と判断して処理をＳ００９に移行し、０件であれば降車予定なしと判定して処理をＳ００８に移行する。
【００４４】
Ｓ００８では、サーバ装置１０１は、当該カードＩＤに紐付いていた削除された降車予定のバス停ＩＤのカウント数が１から０に変更になったため、他の乗客の降車予定なしと判断し、図４の乗客向け車内端末画面の該当のバス停の表示を、降車予定の表示（ピンク色）から通過予定の表示（無色）に切り替える指示を各クライアント端末に対して行い、各クライアント端末は、当該指示に従い、降車予定の表示（ピンク色）から通過予定の表示（無色）に切り替える（色を戻す）。
【００４５】
Ｓ００９では、サーバ装置１０１は、カードＩＤに紐付いていた削除された降車予定のバス停ＩＤのカウント数が１以上のままなので、他の乗客の降車予定ありと判断し、図４の乗客向けの車内端末画面の表示は、降車予定（ピンク色）のままとする。
【００４６】
Ｓ０１０で、ＩＣカードをかざした乗客によって図４の乗客向け車内端末画面を通じて降車予定バス停が入力（選択）され、その入力内容をクライアント装置がサーバ装置１０１に送信してその内容をサーバ装置１０１が受け付ける。その際、図９の通過済みバス停テーブルに登録されているバス停ＩＤと比較し、入力可能かどうか判断する。
【００４７】
すなわち、サーバ装置１０１は、登録手段により登録されている識別情報と同一の識別情報を受信した場合には、クライアント端末に対して、登録手段により登録されている停車バス停情報の変更指示を受け付ける変更指示受付画面（例えば、図４）を送信し（変更指示受付画面送信手段）、クライアント端末は、変更指示受付画面を受信して、当該変更指示受付画面を表示する（変更指示受付画面表示手段）。そして、その変更指示受付画面を介して、停車バス停情報の変更指示を受け付け、変更指示を受け付けた停車バス停情報をサーバ装置１０１に送信する（変更指示送信手段）。そして、サーバ装置１０１は、前記変更指示送信手段により送信された停車バス停情報に、登録手段により当該識別情報と対応付けて登録された停車バス停情報を更新する（更新手段）。
【００４８】
Ｓ０１１で、Ｓ００５にて図１０のバス便毎降車予定テーブルに該当のカードＩＤのデータが検出されなかった場合、Ｓ００４で読み取った定期券情報の有無を確認する。定期券情報が登録されていなかった場合、Ｓ０１０にて、降車予定のバス停の登録を受け付ける。
【００４９】
Ｓ０１２では、Ｓ０１１にて定期券情報が登録されていた場合、Ｓ００４にて読み取った定期券区間情報から降車予定のバス停を検出し、バス便毎降車予定テーブルにそのデータを登録する。
【００５０】
すなわち、前記送信手段により送信された区間情報に基づき特定される停車するバス停を示す停車バス停情報を登録する（登録手段）。ここでは、当該区間情報に基づき特定される停車するバス停を示す停車バス停情報と当該識別情報と対応付けて登録する。
【００５１】
Ｓ０１３では、Ｓ０１０やＳ０１２にて、新たに登録されたバス停ＩＤについて、バス便毎降車予定テーブルのデータから、そのバス停ＩＤの件数をカウントする。
【００５２】
Ｓ０１４では、そのカウント結果が２以上であれば、図４の乗客向けの車内端末画面の該当するバス停の表示が、すでに停車予定（ピンク色）となっているので、表示内容は特に変更しない。
【００５３】
Ｓ０１５では、そのカウント結果が１であれば、図４の乗客向け車内端末の該当するバス停の表示を、通過予定（無色）から降車予定（ピンク色）の表示に切り替える。
【００５４】
すなわち、サーバ装置１０１は、前記登録手段により登録された停車バス停情報により示されるバス停と、停車する予定のない他のバス停とを識別可能に表示する表示画面をクライアント端末に送信する（表示画面送信手段）。そして、クライアント端末は、停車するバス停と、停車する予定のない他のバス停とを識別可能に表示する表示画面をサーバ装置１０１から受信して表示部に表示する（表示手段）。
【００５５】
Ｓ０１６では、バス停を通過した後、図５の運転手向け管理画面を通じて入力されたバス停ＩＤによって、データテーブル図９の通過済みバス停テーブルの通過済みバス停ＩＤの値が更新される。
【００５６】
Ｓ０１７では、図５の運転手向け管理画面の該当するバス停の表示、及び図４の乗客向け車内端末の該当するバス停の表示が、通過済み（グレー色）に変更される。
そして、ステップＳ０１７の処理が終了すると、処理をＳ００４に戻す。
【００５７】
以上、本発明によれば、定期券として用いられる携帯記録媒体から取得した情報を用いて、降車するバス停を予約することができる。
【００５８】
上述した本発明の実施形態を構成する各手段及び各ステップは、コンピュータのＲＡＭやＲＯＭ等に記憶されたプログラムを読み取り動作することによって実現できる。このプログラム及び前記プログラムを記録したコンピュータ読み取り実行可能な記録媒体は本発明に含まれる。
【００５９】
また、本発明は、例えば、システム、装置、方法、プログラムもしくは記録媒体等としての実施形態も可能であり、具体的には、一つの機器からなる装置に適用してもよい。
【００６０】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００６１】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００６２】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００６３】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【００６４】
１０１  サーバ装置
２０１  運転手用管理端末
３０１  車両内の座席ごとに設けられたタブレット端末（クライアント端末）
３０２  車両内の座席ごとに設けられたタブレット端末（クライアント端末）
３０３  車両内の座席ごとに設けられたタブレット端末（クライアント端末）
【図１】
2016103232.tif 000003
【図２】
2016103232.tif 000004
【図３】
2016103232.tif 000005
【図４】
2016103232.tif 000006
【図５】
2016103232.tif 000007
【図６】
2016103232.tif 000008
【図７】
2016103232.tif 000009
【図８】
2016103232.tif 000010
【図９】
2016103232.tif 000011
【図１０】
2016103232.tif 000012
【図１１】
2016103232.tif 000013